(57)【要約】【課題】必要最低限の部材交換によって、使用者の要望に応じて態様を変更することのできるデスク装置を提供する。【解決手段】床面上に設置されて上下方向に延出する２本の脚本体部２４が、脚本体部２４の上部で横梁部２５によって相互に連結された一対の脚体２０と、幅方向に沿って延出して一対の脚体２０の上部同士を連結する各一対の内側連結杆３１と外側連結杆３０を設ける。内側連結杆３１同士はブリッジ部材３６ａ，３６ｂ，３６ｃで連結されて連結ユニット３５Ａ，３５Ｂを構成する。天板支持体１０に対して連結ユニット３５Ａ，３５Ｂを脱着可能にするとともに、天板支持体１０に対して第１の天板ユニット１００を脱着可能にする。第１の天板ユニット１００と連結ユニット３５Ａ，３５Ｂとを、別の天板ユニットと別の連結ユニットとに交換できるようにする。【選択図】図３
2014068918.tif 000002
【特許請求の範囲】
【請求項１】
床面上に設置されて上下方向に延出する２本の脚本体部が、当該脚本体部の上部で横梁部によって相互に連結されて成る一対の脚体と、
前記横梁部の延出方向である奥行方向と直交する幅方向に沿って延出し、前記一対の脚体の上部同士を連結する複数の連結杆と、を備えたデスク装置であって、
前記複数の連結杆は、天板ユニットの前記奥行方向の中央領域において相互に離間して配置される一対の内側連結杆を含み、
前記一対の内側連結杆は、前記奥行方向に沿う複数のブリッジ部材によって連結されて連結ユニットを構成し、
前記天板ユニットが、前記一対の脚体と、前記連結ユニットと、前記内側連結杆を除く残余の連結杆とを含む天板支持体に対して脱着可能とされるとともに、前記連結ユニットの全部または一部が、前記天板支持体の残余の部材に対して脱着可能とされて、態様及び機能の異なる天板ユニット及び連結ユニットに変更可能とされていることを特徴とするデスク装置。
【請求項２】
前記連結ユニットは、前記ブリッジ部材の態様の異なるものが複数用意され、
天板の前記奥行方向の中央に開口が設けられる天板ユニットを採用する場合と、前記奥行方向の中央に前記幅方向に沿って連続する離間スペースを設けて複数の天板が対向配置される天板ユニットを採用する場合とで、前記連結ユニットが交換可能とされていることを特徴とする請求項１に記載のデスク装置。
【請求項３】
前記連結ユニットは、前記複数のブリッジ部材が前記一対の内側連結杆に対して脱着可能とされ、
天板の前記奥行方向の中央に開口が設けられる天板ユニットを採用する場合と、前記奥行方向の中央に前記幅方向に沿って連続する離間スペースを設けて複数の天板が対向配置される天板ユニットを採用する場合とで、前記一対の内側連結杆に対する前記ブリッジ部材の連結位置が変更可能とされていることを特徴とする請求項１に記載のデスク装置。
【請求項４】
前記連結ユニットの隣接するブリッジ部材にはオプション部材が架設可能とされていることを特徴とする請求項１〜３のいずれか１項に記載のデスク装置。
【請求項５】
前記オプション部材は、天板ユニットの前記奥行方向の中央に設けられた開口、または、天板ユニットの前記奥行方向中央の前記幅方向に沿った離間スペースを開閉する配線カバーであることを特徴とする請求項４に記載のデスク装置。
【発明の詳細な説明】
【技術分野】
【０００１】
この発明は、オフィスの執務空間等で使用されるデスク装置に関するものである。
【背景技術】
【０００２】
オフィスの執務空間等においては、床面上に設置される一対の脚体に天板が支持されたデスク装置が一般的に使用されている。
この種のデスク装置の脚体としては、床面上に沿わせて横向きに載置される下部パイプと、下部パイプの一端部若しくは中央部から上方に向かって延出する縦パイプと、縦パイプの上端部から下部パイプと平行に延出する上部パイプとにより、側面視がコ字状をなすように形成されたもの（いわゆるＬ型脚）や、側面視がエ字状をなすように形成されたもの（いわゆるＴ型脚）が多く見られる。また、パイプ材以外からなる脚体としては、パネル状のものも多く見られる。
【０００３】
これらのデスク装置の構造では、脚体における床面接触部分が大きいため、脚体によって天板ユニットを強固にかつ安定的に支持することができる。しかし、この構造においては、使用者に重厚な印象を与えてしまいデスク装置としての体裁として好ましくない場合がある。また、これらのデスク装置の構造は、脚体の床面接触部分が大きいことから、床面の清掃の際に作業の支障になり易い。
【０００４】
一方、これらの不具合の生じにくいデスク装置として、矩形状の天板ユニットの四隅に棒状の脚体をそれぞれ取り付け、棒状の脚体の各下端を床面上に設置するようにしたものも多く見られる。
ただし、このデスク装置の構造は、棒状の脚体のみによって天板ユニットを支持していることから、デスク装置の側方からの外力に対する強度的な面で不安がある。
【０００５】
こうした問題を解決したデスク装置として、一対の棒状の脚本体部が横梁部によって相互に連結されて成る一対の脚体と、幅方向に離間して配置した一対の脚体の上部同士を連結する複数の連結杆とを設け、各脚体の横梁部と連結杆の上面に天板ユニットを取り付けるようにしたものが案出されている（例えば、特許文献１，２参照。）。
【０００６】
また、こうしたデスク装置がオフィス等で使用される場合には、パーソナルコンピュータやプロジェクター等の電子機器の配線や、照明装置や電話等の配線を天板ユニットの上面から引き出せることが望まれる。
【０００７】
こうした要望に対応するデスク装置として、天板ユニットの奥行方向の中央に配線引き出し用の開口を形成し、その開口の下方を覆うように、配線受け部材を脚体や連結杆に取り付けたものが案出されている（例えば、特許文献３，４参照。）。
このデスク装置は、開口を取り囲むように広い作業エリアを天板ユニット上に確保しながらも、中央の開口を通して配線を天板ユニット上の任意の位置に引き出すことができる。
【０００８】
また、上記の要望に対応する別タイプのデスク装置として、一対の脚体の上部同士を複数の連結杆によって連結して天板支持体を形成し、その天板支持体の上面に、一対の天板を奥行方向前後に所定寸法離間させて取り付け、両天板間の幅方向に沿って延出する離間スペースの下方を覆う長尺な配線受け部材を連結杆等に取り付けるようにしたものも案出されている（例えば、特許文献５，６参照。）。
このデスク装置は、天板の奥行方向中央の長尺な離間スペースを通して奥行方向前後の任意の位置から配線を自由に引き出すことができるため、使用者の配線自由度が高くなる利点がある。
【先行技術文献】
【特許文献】
【０００９】
【特許文献１】特開２００８−１１９４１２号公報
【特許文献２】特開２００８−１１９４１３号公報
【特許文献３】特許第３４４０８４２号公報
【特許文献４】特許第４２０４８１９号公報
【特許文献５】特開２００９−１４２５７２号公報
【特許文献６】特開２００９−１４８４９６号公報
【発明の概要】
【発明が解決しようとする課題】
【００１０】
しかし、上記の二種類のデスク装置は、天板や配線引き出し部の形態が異なり、室内のレイアウトや利用者の使用形態を考慮して、購入され、使用されるものであるため、職場での組織の変更や働き方の変更があると、いずれかのデスク装置に入れ替えなければならず、購買者のコスト負担が大きくなる。
【００１１】
そこでこの発明は、必要最低限の部材交換によって、使用者の要望に応じて態様を変更することのできるデスク装置を提供しようとするものである。
【課題を解決するための手段】
【００１２】
この発明に係るデスク装置では、上記課題を解決するために以下の構成を採用した。
請求項１に係る発明は、床面上に設置されて上下方向に延出する２本の脚本体部が、当該脚本体部の上部で横梁部によって相互に連結されて成る一対の脚体と、前記横梁部の延出方向である奥行方向と直交する幅方向に沿って延出し、前記一対の脚体の上部同士を連結する複数の連結杆と、を備えたデスク装置であって、前記複数の連結杆は、天板ユニットの前記奥行方向の中央領域において相互に離間して配置される一対の内側連結杆を含み、前記一対の内側連結杆は、前記奥行方向に沿う複数のブリッジ部材によって連結されて連結ユニットを構成し、前記天板ユニットが、前記一対の脚体と、前記連結ユニットと、前記内側連結杆を除く残余の連結杆とを含む天板支持体に対して脱着可能とされるとともに、前記連結ユニットの全部または一部が、前記天板支持体の残余の部材に対して脱着可能とされて、態様及び機能の異なる天板ユニット及び連結ユニットに変更可能とされていることを特徴とするものである。
【００１３】
請求項２に係る発明は、請求項１に係るデスク装置において、前記連結ユニットは、前記ブリッジ部材の態様の異なるものが複数用意され、天板の前記奥行方向の中央に開口が設けられる天板ユニットを採用する場合と、前記奥行方向の中央に前記幅方向に沿って連続する離間スペースを設けて複数の天板が対向配置される天板ユニットを採用する場合とで、前記連結ユニットが交換可能とされていることを特徴とするものである。
【００１４】
請求項３に係る発明は、請求項１に係るデスク装置において、前記連結ユニットは、前記複数のブリッジ部材が前記一対の内側連結杆に対して脱着可能とされ、天板の前記奥行方向の中央に開口が設けられる天板ユニットを採用する場合と、前記奥行方向の中央に前記幅方向に沿って連続する離間スペースを設けて複数の天板が対向配置される天板ユニットを採用する場合とで、前記一対の内側連結杆に対する前記ブリッジ部材の連結位置が変更可能とされていることを特徴とするものである。
これにより、天板ユニットを別態様のものと交換する場合には、一対の内側連結杆を交換せずに、ブリッジ部材の連結位置のみを変更して対応することが可能になる。
【００１５】
請求項４に係る発明は、請求項１〜３のいずれか１項に係るデスク装置において、前記連結ユニットの隣接するブリッジ部材にはオプション部材が架設可能とされていることを特徴とするものである。
【００１６】
請求項５に係る発明は、請求項４に係るデスク装置において、前記オプション部材は、天板ユニットの前記奥行方向の中央に設けられた開口、または、天板ユニットユニットの前記奥行方向中央の前記幅方向に沿った離間スペースを開閉する配線カバーであることを特徴とするものである。
【発明の効果】
【００１７】
この発明によれば、一対の脚体と、連結ユニットと、内側連結杆を除く残余の連結杆とを含む天板支持体に天板ユニットが脱着可能とされるとともに、連結ユニットの全部または一部が、天板支持体の残余の部材に対して脱着可能とされているため、天板ユニットと、連結ユニットの全部または一部を、交換若しくは変更することによって、使用者の要望に応じてデスク装置の態様を変更することができる。
【図面の簡単な説明】
【００１８】
【図１】この発明の一実施形態の第１の天板ユニットを取り付けたデスク装置の斜視図である。
【図２】この発明の一実施形態の第１の天板ユニットを取り付けたデスク装置の平面図である。
【図３】この発明の一実施形態の第１の天板ユニットを取り付けたデスク装置の天板支持体を主とした斜視図である。
【図４】この発明の一実施形態の第２の天板ユニットを取り付けたデスク装置の平面図である。
【図５】この発明の一実施形態の第２の天板ユニットを取り付けたデスク装置の天板支持体を主とした斜視図である。
【発明を実施するための形態】
【００１９】
以下、この発明の一実施形態のデスク装置を図面に基づいて説明する。この実施形態に係るデスク装置は、態様の異なる（形状や機能の異なる）複数の天板ユニットが交換可能とされたものである。
なお、以下の説明においては、床面Ｆと直角な方向を上下方向と呼び、天板ユニットの長尺な方向（長手方向）を幅方向、天板ユニットの短尺な方向を奥行方向と呼ぶものとし、図中ＬＨ，ＲＨを結ぶ矢印は幅方向を指し、図中ＦＲ，ＲＲを結ぶ矢印は奥行方向を指すものとする。奥行方向は、後述する脚体２０の横梁部２５の延出方向と一致する方向であり、幅方向は、上下方向と奥行方向に対して直交する方向である。
図１〜図３は、第１の天板ユニット１００を採用した場合におけるデスク装置１を示し、図４，図５は、第１の天板ユニット１００と態様の異なる第２の天板ユニット２００を採用した場合におけるデスク装置１を示している。
【００２０】
図１は、床面Ｆ上に設置されたデスク装置１の全体を示す図であり、図２は、デスク装置１の幅方向の半分の上面視を示す図である。また、図３は、第１の天板ユニット１００が取り付けられる天板支持体１０を示す図である。なお、図３においては、第１の天板ユニット１００を仮想線で示している。
図１〜図３に示すように、第１の天板ユニット１００は、平面視が矩形状の４枚の天板部材２ａ，２ｂ，２ｃ，２ｄを有している。天板部材２ａ，２ｂ，２ｃ，２ｄは、各２枚の天板部材２ａ，２ｂ、及び、２ｃ，２ｄが長手方向の端面を突き合せて一定の奥行幅の連続した机上面を形成している。これらの連続した机上面を形成する２組の天板部材の対２Ａ，２Ｂ（以下、「天板２Ａ，２Ｂ」と呼ぶ。）が奥行方向の中央に離間スペース３を挟んで対向して配置されるようになっている。天板２Ａ，２Ｂは、長尺な辺が相互に平行になるように対向配置され、奥行方向の中央の離間スペース３は幅方向に沿って連続している。
なお、この実施形態においては、各天板２Ａ，２Ｂが２枚の天板部材２ａ，２ｂ、及び、２ｃ，２ｄによって構成されているが、各天板２Ａ，２Ｂを、それぞれ連続した一枚板によって構成することも可能である。
【００２１】
天板支持体１０は、図３に示すように、幅方向の両端部に配置される一対の脚体２０，２０と、その一対の脚体２０，２０の上部同士を連結する外側連結杆３０，３０と内側連結杆３１，３１と、を備えている。この実施形態では、一対の脚体２０，２０の間に中間脚２２が配置され、中間脚２２の上部に中継ユニット２３が設けられている。
【００２２】
外側連結杆３０，３０は、天板支持体１０の奥行方向の両側の端部に幅方向に沿うように平行に配置され、第１の天板ユニット１００の天板２Ａ，２Ｂの奥行方向の外側縁部を下方から支持するようになっている。この実施形態の場合、各外側連結杆３０は、一対の金属製の角管部材３０ａ，３０ｂが中継ユニット２３を介して一体に連結され、全体が幅方向に沿って直線状に延出している。
【００２３】
内側連結杆３１，３１は、天板支持体１０の奥行方向の中央領域に外側連結杆３０，３０と平行になるように配置され、第１の天板ユニット１００の天板２Ａ，２Ｂの奥行方向の各内側縁部を下方から支持するようになっている。内側連結杆３１，３１同士は奥行方向に所定距離離間して配置されている。この実施形態の場合、各内側連結杆３１は、一対の金属製の角管部材３１ａ，３１ｂが中継ユニット２３を介して一体に連結され、全体が幅方向に沿って直線状に延出している。なお、内側連結杆３１，３１の各角管部材３１ａ，３１ａ，３１ｂ，３１ｂは、実際には、後に詳述する２つの梯子型の連結ユニット３５Ａ，３５Ｂの構成部品として構成されている。
【００２４】
一方、幅方向両側に配置される脚体２０は、床面Ｆ上に設置されて上下方向に延出する２本の脚本体部２４，２４と、奥行方向に沿って延出して脚本体部２４，２４の上部同士を連結する横梁部２５と、を備えている。各脚本体部２４は、金属製の角パイプによって主要部を構成され、その角パイプの上下の端部にエンドプレートが溶接固定されている。横梁部２５は、プレス成形された２枚の金属プレートが組み合わされ、その主要部が筒状に形成されている。横梁部２５の長手方向の両端部は、脚本体部２４，２４の各上部側面に溶接固定されている。こうして、２本の脚本体部２４，２４の上部に横梁部２５が連結された脚体２０は、幅方向から見た側面視が門型状（開口側が下方を向くコ字形状）となっている。
【００２５】
横梁部２５の幅方向の外側面には、奥行方向に沿って延出する凹状段部２６が形成されている。凹状段部２６にはカバー部材２７が脱着可能に取り付けられている。凹状段部２６内には、図示しない延長天板やキャビネット等のオプション部品を取り付けるための取付座（符号省略。）が設けられている。カバー部材２７はオプション部品を取り付けるときに脚体２０から取り外される。
【００２６】
また、横梁部２５の幅方向内側の上部コーナ部分には、凹状に窪む段差部３２が奥行方向に沿って連続して設けられている。この段差部３２には、外側連結杆３０，３０の角管部材３０ａまたは３０ｂの幅方向の外側端部を結合するための金属製の支持アーム２８，２８と、内側連結杆３１，３１の角管部材３１ａまたは３１ｂの幅方向の外側端部を結合するための金属製の支持アーム２９，２９が溶接固定されている。
【００２７】
中間脚２２は、フレーム枠に金属プレートが接合されてパネル状に形成されている。中間脚２２の上端部には、中継ユニット２３が一体に取り付けられている。中継ユニット２３は、奥行方向に延出する角筒状のステー１７の幅方向両側の側面に、外側連結杆３０，３０の角管部材３０ａまたは３０ｂの幅方向の内側端部を結合するための金属製の支持アーム１８，１８と、内側連結杆３１，３１の角管部材３１ａまたは３１ｂの幅方向の内側端部を結合するための金属製の支持アーム１９，１９が溶接固定されている。
【００２８】
外側連結杆３０，３０の各角管部材３０ａは、一方の脚体２０の支持アーム２８と中継ユニット２３の一方の側面の支持アーム１８とに架設され、残余の各角管部材３０ｂは、他方の脚体２０の支持アーム２８と中継ユニット２３の他方の側面の支持アーム１８とに架設されている。同様に、内側連結杆３１，３１の各角管部材３１ａは、一方の脚体２０の支持アーム２９と中継ユニット２３の一方の側面の支持アーム１９とに架設され、残余の各角管部材３１ｂは、他方の脚体２０の支持アーム２９と中継ユニット２３の他方の側面の支持アーム１９とに架設されている。特に、内側連結杆３１，３１の各角管部材３１ａは対応する各支持アーム２９，１９に対してボルト締結等によって脱着可能に取り付けられている。
【００２９】
ところで、角管部材３１ａ，３１ａを構成部品とする連結ユニット３５Ａは、対向配置される角管部材３１ａ，３１ａ同士が奥行方向に延出する３つブリッジ部材３６ａ，３６ｂ，３６ｃによって連結されている。同様に、角管部材３１ｂ，３１ｂを構成部品とする連結ユニット３５Ｂは、対向配置される角管部材３１ｂ，３１ｂ同士が奥行方向に延出する３つブリッジ部材３６ａ，３６ｂ，３６ｃによって連結されている。連結ユニット３５Ａと３５Ｂは同様の構造とされている。
【００３０】
各連結ユニット３５Ａ，３５Ｂのブリッジ部材３６ａ，３６ｂ，３６ｃは幅方向にほぼ均等間隔に離間して配置されている。幅方向の両側のブリッジ部材３６ａと３６ｃは同一幅に形成され、中央のブリッジ部材３６ｂは両側のブリッジ部材３６ａと３６ｃのほぼ２倍の幅に形成されている。隣接するブリッジ部材３６ａ，３６ｂ，３６ｃの各間には矩形状の空間部が設けられ、これらの空間部の各下方には、凹状断面の配線ダクト３７（配線受け部材）がそれぞれ配置されている。各配線ダクト３７は、内側連結杆３１，３１の角管部材３１ａ，３１ａ、または、３１ｂ，３１ｂの下面にビス止め等によって固定されている。配線ダクト３７は、デスク装置１の外部から引き込まれた電気配線や通信配線等の配線が内部に通されて保持される部分である。配線ダクト３７内に通された配線は、隣接するブリッジ部材３６ａ，３６ｂ，３６ｃの各間の空間部と、第１の天板ユニット１００の奥行方向中央の離間スペース３を通して天板２Ａ，２Ｂ上に引き出される。
【００３１】
また、連結ユニット３５Ａ，３５Ｂの隣接する各ブリッジ部材３６ａ，３６ｂ，３６ｃには、各２つの配線カバー３８，３８が傾動可能に架設されている。これらの配線カバー３８，３８は、天板支持体１０上に第１の天板ユニット１００が取り付けられた状態において、第１の天板ユニット１００の奥行方向中央の離間スペース３内に開閉可能に配置され、配線のレイアウトに応じて適宜開かれるようになっている。
なお、この実施形態では、隣接するブリッジ部材３６ａ，３６ｂ，３６ｃの各間には、奥行方向前後の配線カバー３８，３８の間の隙間を埋める目隠し部材３９（図３では省略。）がさらに架設されている。ただし、この目隠し部材３９の設置される部位には、目隠し部材３９に代えて、対向する天板２Ａ，２Ｂの間を仕切るデスクトップパネルや幕板等の図示しないパーティション部材を設置することも可能となっている。
【００３２】
連結ユニット３５Ａ，３５Ｂは、脚体２０と中継ユニット２３に対して内側連結杆３１（角管部材３１ａ，３１ｂ）部分のみで脱着可能に締結固定されている。したがって、連結ユニット３５Ａ，３５Ｂは、連結ユニット３５Ａ，３５Ｂ自体を除く天板支持体１０の残余の部材に対して脱着可能とされている。
また、第１の天板ユニット１００の天板２Ａ，２Ｂは、両者の奥行方向の中央に離間スペース３を設けるようにして、天板支持体１０の上部に載置され、その状態で天板支持体１０側の部材である支持アーム２８，２９，１８，１９等に脱着可能に締結固定されている。この実施形態の場合、支持アーム２８，２９，１８，１９の各上壁部にボルト挿通孔（符号省略。）が穿設されるとともに、天板２Ａ，２Ｂの裏面の対応箇所に図示しないナットが埋め込まれており、これらのボルト挿通孔とナットに図示しない締結ボルトが挿入係合されるようになっている。
【００３３】
この第１の天板ユニット１００は、一対の天板２Ａ，２Ｂの間に幅方向に沿って延出する離間スペース３が設けられ、その離間スペース３に配線の引き出し部やパーティション部材が配置されるため、各天板２Ａ，２Ｂに向かって複数人が座って個別にデスク作業を行う場合等に適している。
【００３４】
図４は、第２の天板ユニット２００を採用した場合におけるデスク装置１の幅方向の半分の上面視を示す図であり、図５は、第２の天板ユニット２００が取り付けられる天板支持体１０を示す図である。なお、図５においては、第２の天板ユニット２００を仮想線で示している。
図４，図５に示すように、第２の天板ユニット２００は、平面視が矩形状の４枚の天板部材１０２ａ，１０２ｂ，１０２ｃ，１０２ｄを有している。天板部材１０２ａ，１０２ｂ，１０２ｃ，１０２ｄは、天板支持体１０上に取り付けられるときに、隣接するものの端面同士を突き合せて連続した矩形状の机上面を形成する。以下、天板部材１０２ａ，１０２ｂ，１０２ｃ，１０２ｄを合せて天板１０２と呼ぶものとする。天板１０２の奥行方向の中央には、４つの矩形状の開口４５…が幅方向に並んで形成されている。これら４つの開口４５…は、天板１０２上にほぼ等間隔離間して配置されている。これらの開口４５…は、第２の天板ユニット２００における配線引出部として用いられる。
この実施形態においては、天板１０２が４枚の天板部材１０２ａ，１０２ｂ，１０２ｃ，１０２ｄによって構成されているが、天板１０２は、２枚の天板部材によって構成したり、一枚板によって構成したりすることも可能である。
【００３５】
この第２の天板ユニット２００は、第１の天板ユニット１００と異なり、奥行方向の中央領域において、各開口４５…を取り囲むように連続した広い作業スペースが確保される。したがって、この第２の天板ユニット２００は、会議等で多人数が机上で顔を合わせて対話や資料の参照を行う場合や、多人数が机上で共同作業を行う場合等に適している。
【００３６】
一方、第２の天板ユニット２００を支持する天板支持体１０は、第１の天板ユニット１００を支持する前述した天板支持体１０に対して連結ユニット１３５Ａ，１３５Ｂのみが異なっている。この連結ユニット１３５Ａ，１３５Ｂは、第１の天板ユニット１００を支持する天板支持体１０の連結ユニット３５Ａ，３５Ｂと同様に、脚体２０の支持アーム２９と中継ユニット２３の支持アーム１９に対して脱着可能に締結固定されている。
【００３７】
連結ユニット１３５Ａと連結ユニット１３５Ｂは基本的に同様の構造とされているが、一方の連結ユニット１３５Ａは幅方向に沿う一対の角管部材３１ａ，３１ａを構成要素とし、他方の連結ユニット１３５Ｂは幅方向に沿う一対の角管部材３１ｂ，３１ｂを構成要素としている。一方の連結ユニット１３５Ａの角管部材３１ａ，３１ａと他方の連結ユニット１３５Ｂの角管部材３１ｂ，３１ｂは中継ユニット２３を介して相互に連結され、それによって一対の連続した内側連結杆３１，３１を構成している。
また、連結ユニット１３５Ａを構成する角管部材３１ａ，３１ａは、奥行方向に沿って延出する２対のブリッジ部材１３６ａ，１３６ａ、及び、１３６ｂ，１３６ｂによって連結されている。連結ユニット１３５Ｂを構成する角管部材３１ｂ，３１ｂも、同様に奥行方向に沿って延出する２対のブリッジ部材１３６ａ，１３６ａ、及び、１３６ｂ，１３６ｂによって連結されている。各対のブリッジ部材１３６ａ，１３６ａ、及び、１３６ｂ，１３６ｂは、第２の天板ユニット２００の各開口４５の位置に対応して設けられている。
なお、図中４６は、各連結ユニット１３５Ａ，１３５Ｂの角管部材３１ａ，３１ａ、及び、３１ｂ，３１ｂの両側の各端部同士を連結する補助連結部材である。
【００３８】
また、各連結ユニット１３５Ａ，１３５Ｂにおけるブリッジ部材１３６ａ，１３６ａの間と、ブリッジ部材１３６ｂ，１３６ｂの間には矩形状の空間部が設けられ、これらの空間部の各下方には、配線ダクト１３７（配線受け部材）がそれぞれ配置されている。各配線ダクト１３７は、角管部材３１ａ，３１ａ、または、３１ｂ，３１ｂの下面にビス止め等によって固定されている。各配線ダクト１３７の内部には、外部から配線が通され、その配線が第２の天板ユニット２００の開口４５を通して天板ユニット２００の机上面に引き出せるようになっている。
【００３９】
さらに、対を成すブリッジ部材１３６ａ，１３６ａ、及び、１３６ｂ，１３６ｂには、第２の天板ユニット２００の各開口４５を閉塞する各２つの配線カバー１３８，１３８が傾動可能に架設されている。各配線カバー１３８は、配線レイアウトに応じて適宜開かれるようになっている。なお、図中１３９は、配線カバー１３８，１３８の間の隙間を埋める目隠し部材である。
【００４０】
第２の天板ユニット２００は、天板１０２を構成する各天板部材１０２ａ，１０２ｂ，１０２ｃ，１０２ｄが天板支持体１０の上部に載置され、その各天板部材１０２ａ，１０２ｂ，１０２ｃ，１０２ｄが天板支持体１０側の部材である支持アーム２８，２９，１８，１９等に締結ボルトによって脱着可能に固定される。
また、連結ユニット１３５Ａ，１３５Ｂは、連結ユニット１３５Ａ，１３５Ｂ自体を除く天板支持体１０の残余の部材に対して脱着可能とされている。
【００４１】
以上のように、この実施形態に係るデスク装置１は、天板支持体１０に対して第１の天板ユニット１００や第２の天板ユニット２００が脱着可能とされるとともに、天板支持体１０の連結ユニット３５Ａ，３５Ｂ，１３５Ａ，１３５Ｂを除く残余の部材に対して、連結ユニット３５Ａ，３５Ｂや１３５Ａ，１３５Ｂも脱着可能とされているため、例えば、机上で複数人が個別にデスク作業を行う職場環境で第１の天板ユニット１００を採用しているときに、使用者の組織変更や働き方の変更に応じてデスク装置を会議等に適したものに変更したい場合等に、第１の天板ユニット１００と連結ユニット３５Ａ，３５Ｂを第２の天板ユニット２００と連結ユニット１３５Ａ，１３５Ｂとに交換することにより、使用者の要望に応じたデスク装置の態様に変更することができる。
そして、このデスク装置１は、天板支持体１０の主要部品を共用したまま、必要最低限の部材の交換だけで使用者の要望に応じたデスク装置の態様に変更することができるため、購買者のコスト負担を低減することができる。
【００４２】
また、この実施形態に係るデスク装置１では、各連結ユニット３５Ａ，３５Ｂ，１３５Ａ，１３５Ｂの隣接するブリッジ部材３６ａ，３６ｂ，３６ｃや、１３６ａ，１３６ａ、及び、１３６ｂ，１３６ｂに、配線カバー３８，１３８やパーティション部材等のオプション部品が架設可能とされているため、デスク装置としての使い勝手をより多様なものとすることができる。
【００４３】
ところで、上記の実施形態においては、態様の異なる天板ユニットに交換する場合に、連結ユニット全体を交換したが、一対の内側連結杆に連結される複数のブリッジ部材を脱着可能にしておき、交換する天板ユニットの態様に応じてブリッジ部材を交換したり、一対の内側連結杆に対するブリッジ部材の連結位置のみを変更したりするようにしても良い。
この場合、天板ユニットを交換するときに、連結ユニットの一対の内側連結杆もそのまま共用することができるため、交換部材をより少なくして製品コストのさらなる削減を図ることが可能となる。
【００４４】
なお、この発明は上記の実施形態に限定されるものではなく、その要旨を逸脱しない範囲で種々の設計変更が可能である。例えば、上記の実施形態においては、一対の脚体の間に中間脚を配置し、中間脚に設けられた中継ユニットによって外側連結杆や内側連結杆の各角管部材を連結するようにしているが、中間脚は必ずしも必要なものではなく、外側連結杆や内側連結杆を一本の連続したものとしても良い。
【符号の説明】
【００４５】
１  デスク装置
２Ａ，２Ｂ，１０２  天板
３  離間スペース
１０  天板支持体
２０  脚体
２４  脚本体部
２５  横梁部
３０  外側連結杆
３１  内側連結杆
３５Ａ，３５Ｂ，１３５Ａ，１３５Ｂ  連結ユニット
３６ａ，３６ｂ，３６ｃ，１３６ａ，１３６ｂ  ブリッジ部材
４５  開口
１００  第１の天板ユニット（天板ユニット）
２００  第２の天板ユニット（天板ユニット）
【図１】
2014068918.tif 000003
【図２】
2014068918.tif 000004
【図３】
2014068918.tif 000005
【図４】
2014068918.tif 000006
【図５】
2014068918.tif 000007